【手続補正書】
【提出日】平成25年10月17日(2013.10.17)
【手続補正１】
【補正対象書類名】明細書
【補正対象項目名】発明の名称
【補正方法】変更
【補正の内容】
【発明の名称】認証システム、管理装置、情報処理装置とその処理方法およびプログラム
【手続補正２】
【補正対象書類名】明細書
【補正対象項目名】０００１
【補正方法】変更
【補正の内容】
【０００１】
本発明は、情報処理装置を利用する際の認証に関する認証システム、管理装置、情報処理装置とその処理方法およびプログラム。
【手続補正３】
【補正対象書類名】明細書
【補正対象項目名】００１０
【補正方法】変更
【補正の内容】
【００１０】
そこで、本発明は、ユーザの操作に従って入力された識別情報に従って認証する認証方式の利用により、認証に用いられる読取対象媒体の利用を制限することで、情報処理装置を利用する際のセキュリティを向上させる仕組みを提供することを目的とする。
【手続補正４】
【補正対象書類名】明細書
【補正対象項目名】００１１
【補正方法】変更
【補正の内容】
【００１１】
本発明は、ユーザを識別するための識別情報を管理する管理装置と、ユーザによる第１の識別情報の入力による第１の認証方式、又は、読取対象媒体の読み取りによる第２の認証方式における認証に従って利用可能な情報処理装置とを含む認証システムであって、前記情報処理装置は、前記第１の認証方式により、ユーザの操作に従って入力された第１の識別情報を取得する識別情報取得手段と、前記識別情報取得手段で取得した第１の識別情報を前記管理装置に出力する識別情報出力手段とを備え、前記管理装置は、前記情報処理装置から前記第１の識別情報を受け付ける識別情報受付手段と、前記識別情報受付手段で取得した第１の識別情報を用いて認証を実行する認証実行手段と、前記認証実行手段により前記第１の識別情報による認証が成功した場合、前記第２の認証方式による認証を制限すべく、前記第１の識別情報に対応する認証情報を制限設定する制限設定手段とを備えることを特徴とする。
【手続補正５】
【補正対象書類名】明細書
【補正対象項目名】００１２
【補正方法】変更
【補正の内容】
【００１２】
また、前記第２の認証方式による認証が制限されている場合、前記識別情報取得手段は、ユーザの操作に従って再度入力された第１の識別情報を取得し、
前記管理装置は、前記認証実行手段により、再度入力された前記第１の識別情報による認証が成功した場合、当該第１の識別情報に対応する認証情報の制限設定を解除する制限設定解除手段とを更に備えることを特徴とする。
【手続補正６】
【補正対象書類名】明細書
【補正対象項目名】００１３
【補正方法】変更
【補正の内容】
【００１３】
また、前記認証情報は、前記第１の識別情報と前記読取対象媒体を読み取ることによって得られる第２の識別情報とを対応付けており、前記情報処理装置は、前記読取対象媒体を読み取る読取手段と、前記読取手段で前記読取対象媒体を読み取ることによって得られる第２の識別情報を取得する読取対象媒体取得手段を更に備え、前記識別情報出力手段は、前記第２の識別情報を用いて第２の認証方式における認証をすべく、前記第２の識別情報を出力し、前記管理装置は、前記識別情報受付手段により前記第２の識別情報を受け付け、前記制限設定手段で前記第２の識別情報の認証情報が第２の認証方式による認証が制限されている場合に、前記第２の認証方式による認証を制限する制限手段とを更に備えることを特徴とする。
【手続補正７】
【補正対象書類名】明細書
【補正対象項目名】００１４
【補正方法】変更
【補正の内容】
【００１４】
また、前記管理装置は、前記制限手段により制限した結果を前記情報処理装置に送信する送信手段を更に備え、前記情報処理装置は、前記制限した結果を受信する受信手段と、前記受信手段で受信した前記制限した結果に従って、前記第２の認証方式による認証が制限されていることを通知する通知手段とを更に備えることを特徴とする。
【手続補正８】
【補正対象書類名】明細書
【補正対象項目名】００１５
【補正方法】変更
【補正の内容】
【００１５】
また、前記管理装置は、前記制限設定解除手段で制限設定が解除された場合に、解除したことを示す解除情報を送信する解除情報出力手段を更に備え、
前記情報処理装置は、前記管理装置から、前記解除情報を受け付ける解除情報受付手段と、前記解除情報受付手段で受け付けた解除情報に従って、前記読取対象媒体によるログインを実行するログイン手段とを更に備えることを特徴とする。
【手続補正９】
【補正対象書類名】明細書
【補正対象項目名】００１６
【補正方法】変更
【補正の内容】
【００１６】
また、前記管理装置は、前記制限設定された認証情報の第２の識別情報を所定のタイミングで削除する削除手段を更に備えることを特徴とする。
【手続補正１０】
【補正対象書類名】明細書
【補正対象項目名】００１７
【補正方法】変更
【補正の内容】
【００１７】
また、前記管理装置と前記情報処理装置は同一筺体であることを特徴とする。
【手続補正１１】
【補正対象書類名】明細書
【補正対象項目名】００１８
【補正方法】変更
【補正の内容】
【００１８】
また、前記情報処理装置は画像形成装置であることを特徴とする。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
本発明によれば、ユーザの操作に従って入力された識別情報に従って認証する認証方式の利用により、認証に用いられる読取対象媒体の利用を制限することで、情報処理装置を利用する際のセキュリティを向上させることができる。
【手続補正１４】
【補正対象書類名】特許請求の範囲
【補正対象項目名】全文
【補正方法】変更
【補正の内容】
【特許請求の範囲】
【請求項１】
ユーザを識別するための識別情報を管理する管理装置と、ユーザによる第１の識別情報の入力による第１の認証方式、又は、読取対象媒体の読み取りによる第２の認証方式における認証に従って利用可能な情報処理装置とを含む認証システムであって、
前記情報処理装置は、
前記第１の認証方式により、ユーザの操作に従って入力された第１の識別情報を取得する識別情報取得手段と、
前記識別情報取得手段で取得した第１の識別情報を前記管理装置に出力する識別情報出力手段と
を備え、
前記管理装置は、
前記情報処理装置から前記第１の識別情報を受け付ける識別情報受付手段と、
前記識別情報受付手段で取得した第１の識別情報を用いて認証を実行する認証実行手段と、
前記認証実行手段により前記第１の識別情報による認証が成功した場合、前記第２の認証方式による認証を制限すべく、前記第１の識別情報に対応する認証情報を制限設定する制限設定手段と
を備えることを特徴とする認証システム。
【請求項２】
前記第２の認証方式による認証が制限されている場合、前記識別情報取得手段は、ユーザの操作に従って再度入力された第１の識別情報を取得し、
前記管理装置は、
前記認証実行手段により、再度入力された前記第１の識別情報による認証が成功した場合、当該第１の識別情報に対応する認証情報の制限設定を解除する制限設定解除手段
を更に備えることを特徴とする請求項１に記載の認証システム。
【請求項３】
前記認証情報は、前記第１の識別情報と前記読取対象媒体を読み取ることによって得られる第２の識別情報とを対応付けており、
前記情報処理装置は、
前記読取対象媒体を読み取る読取手段と、
前記読取手段で前記読取対象媒体を読み取ることによって得られる第２の識別情報を取得する読取対象媒体取得手段を更に備え、
前記識別情報出力手段は、前記第２の識別情報を用いて第２の認証方式における認証をすべく、前記第２の識別情報を出力し、
前記管理装置は、
前記識別情報受付手段により前記第２の識別情報を受け付け、
前記制限設定手段で前記第２の識別情報の認証情報が第２の認証方式による認証が制限されている場合に、前記第２の認証方式による認証を制限する制限手段と
を更に備えることを特徴とする請求項１又は２に記載の認証システム。
【請求項４】
前記管理装置は、
前記制限手段により制限した結果を前記情報処理装置に送信する送信手段
を更に備え、
前記情報処理装置は、
前記制限した結果を受信する受信手段と、
前記受信手段で受信した前記制限した結果に従って、前記第２の認証方式による認証が制限されていることを通知する通知手段と
を更に備えることを特徴とする請求項３に記載の認証システム。
【請求項５】
前記管理装置は、
前記制限設定が解除された場合に、解除したことを示す解除情報を送信する解除情報出力手段を更に備え、
前記情報処理装置は、
前記管理装置から、前記解除情報を受け付ける解除情報受付手段と、
前記解除情報受付手段で受け付けた解除情報に従って、前記読取対象媒体によるログインを実行するログイン手段と
を更に備えることを特徴とする請求項４に記載の認証システム。
【請求項６】
前記管理装置は、
前記制限設定された認証情報の第２の識別情報を所定のタイミングで削除する削除手段を
更に備えることを特徴とする請求項３乃至５のいずれか１項に記載の認証システム。
【請求項７】
前記管理装置と前記情報処理装置は同一筺体であることを特徴とする請求項１乃至６のいずれか１項に記載の認証システム。
【請求項８】
前記情報処理装置は画像形成装置であることを特徴とする請求項１乃至７のいずれか１項に記載の認証システム。
【請求項９】
第１の認証方式により、ユーザの操作に従って入力された第１の識別情報を取得する識別情報取得手段と、前記識別情報取得手段で取得した第１の識別情報を前記管理装置に出力する識別情報出力手段とを備える、ユーザによる第１の識別情報の入力による第１の認証方式、又は、読取対象媒体の読み取りによる第２の認証方式における認証に従って利用可能な情報処理装置と通信可能な、ユーザを識別するための識別情報を管理する管理装置であって、
前記情報処理装置から前記第１の識別情報を受け付ける識別情報受付手段と、
前記識別情報受付手段で取得した第１の識別情報を用いて認証を実行する認証実行手段と、
前記認証実行手段により前記第１の識別情報による認証が成功した場合、前記第２の認証方式による認証を制限すべく、前記第１の識別情報に対応する認証情報を制限設定する制限設定手段と
を備えることを特徴とする管理装置。
【請求項１０】
情報処理装置から第１の識別情報を受け付ける識別情報受付手段と、前記識別情報受付手段で取得した第１の識別情報を用いて認証を実行する認証実行手段と、前記認証実行手段により前記第１の識別情報による認証が成功した場合、第２の認証方式による認証を制限すべく、前記第１の識別情報に対応する認証情報を制限設定する制限設定手段とを備えるユーザを識別するための識別情報を管理する管理装置と通信可能な、ユーザによる第１の識別情報の入力による第１の認証方式、又は、読取対象媒体の読み取りによる第２の認証方式における認証に従って利用可能な情報処理装置であって、
前記第１の認証方式により、ユーザの操作に従って入力された第１の識別情報を取得する識別情報取得手段と、
前記識別情報取得手段で取得した第１の識別情報を前記管理装置に出力する識別情報出力手段と
を備えることを特徴とする情報処理装置。
【請求項１１】
ユーザを識別するための識別情報を管理する管理装置と、ユーザによる第１の識別情報の入力による第１の認証方式、又は、読取対象媒体の読み取りによる第２の認証方式における認証に従って利用可能な情報処理装置とを含む認証システムの処理方法であって、
前記情報処理装置が、
前記第１の認証方式により、ユーザの操作に従って入力された第１の識別情報を取得する識別情報取得ステップと、
前記識別情報取得ステップで取得した第１の識別情報を前記管理装置に出力する識別情報出力ステップと
を実行し、
前記管理装置が、
前記情報処理装置から前記第１の識別情報を受け付ける識別情報受付ステップと、
前記識別情報受付ステップで取得した第１の識別情報を用いて認証を実行する認証実行ステップと、
前記認証実行ステップにより前記第１の識別情報による認証が成功した場合、前記第２の認証方式による認証を制限すべく、前記第１の識別情報に対応する認証情報を制限設定する制限設定ステップと
を実行することを特徴とする処理方法。
【請求項１２】
第１の認証方式により、ユーザの操作に従って入力された第１の識別情報を取得する識別情報取得手段と、前記識別情報取得手段で取得した第１の識別情報を管理装置に出力する識別情報出力手段とを備える、ユーザによる第１の識別情報の入力による第１の認証方式、又は、読取対象媒体の読み取りによる第２の認証方式における認証に従って利用可能な情報処理装置と通信可能な、ユーザを識別するための識別情報を管理する管理装置の処理方法であって、
前記管理装置が、
前記情報処理装置から前記第１の識別情報を受け付ける識別情報受付ステップと、
前記識別情報受付ステップで取得した第１の識別情報を用いて認証を実行する認証実行ステップと、
前記認証実行ステップにより前記第１の識別情報による認証が成功した場合、前記第２の認証方式による認証を制限すべく、前記第１の識別情報に対応する認証情報を制限設定する制限設定ステップと
を実行することを特徴とする処理方法。
【請求項１３】
情報処理装置から第１の識別情報を受け付ける識別情報受付手段と、前記識別情報受付手段で取得した第１の識別情報を用いて認証を実行する認証実行手段と、前記認証実行手段により前記第１の識別情報による認証が成功した場合、第２の認証方式による認証を制限すべく、前記第１の識別情報に対応する認証情報を制限設定する制限設定手段とを備えるユーザを識別するための識別情報を管理する管理装置と通信可能な、ユーザによる第１の識別情報の入力による第１の認証方式、又は、読取対象媒体の読み取りによる第２の認証方式における認証に従って利用可能な情報処理装置の処理方法であって、
前記情報処理装置が、
前記第１の認証方式により、ユーザの操作に従って入力された第１の識別情報を取得する識別情報取得ステップと、
前記識別情報取得ステップで取得した第１の識別情報を前記管理装置に出力する識別情報出力ステップと
を実行することを特徴とする処理方法。
【請求項１４】
ユーザを識別するための識別情報を管理する管理装置と、ユーザによる第１の識別情報の入力による第１の認証方式、又は、読取対象媒体の読み取りによる第２の認証方式における認証に従って利用可能な情報処理装置とを含む認証システムのプログラムであって、
前記情報処理装置を、
前記第１の認証方式により、ユーザの操作に従って入力された第１の識別情報を取得する識別情報取得手段と、
前記識別情報取得手段で取得した第１の識別情報を前記管理装置に出力する識別情報出力手段と
して機能させ、
前記管理装置を、
前記情報処理装置から前記第１の識別情報を受け付ける識別情報受付手段と、
前記識別情報受付手段で取得した第１の識別情報を用いて認証を実行する認証実行手段と、
前記認証実行手段により前記第１の識別情報による認証が成功した場合、前記第２の認証方式による認証を制限すべく、前記第１の識別情報に対応する認証情報を制限設定する制限設定手段
として機能させることを特徴とするプログラム。
【請求項１５】
第１の認証方式により、ユーザの操作に従って入力された第１の識別情報を取得する識別情報取得手段と、前記識別情報取得手段で取得した第１の識別情報を管理装置に出力する識別情報出力手段とを備える、ユーザによる第１の識別情報の入力による第１の認証方式、又は、読取対象媒体の読み取りによる第２の認証方式における認証に従って利用可能な情報処理装置と通信可能な、ユーザを識別するための識別情報を管理する管理装置のプログラムであって、
前記管理装置を、
前記情報処理装置から前記第１の識別情報を受け付ける識別情報受付手段と、
前記識別情報受付手段で取得した第１の識別情報を用いて認証を実行する認証実行手段と、
前記認証実行手段により前記第１の識別情報による認証が成功した場合、前記第２の認証方式による認証を制限すべく、前記第１の識別情報に対応する認証情報を制限設定する制限設定手段
として機能させることを特徴とするプログラム。
【請求項１６】
情報処理装置から第１の識別情報を受け付ける識別情報受付手段と、前記識別情報受付手段で取得した第１の識別情報を用いて認証を実行する認証実行手段と、前記認証実行手段により前記第１の識別情報による認証が成功した場合、第２の認証方式による認証を制限すべく、前記第１の識別情報に対応する認証情報を制限設定する制限設定手段とを備えるユーザを識別するための識別情報を管理する管理装置と通信可能な、ユーザによる第１の識別情報の入力による第１の認証方式、又は、読取対象媒体の読み取りによる第２の認証方式における認証に従って利用可能な情報処理装置のプログラムであって、
前記情報処理装置を、
前記第１の認証方式により、ユーザの操作に従って入力された第１の識別情報を取得する識別情報取得手段と、
前記識別情報取得手段で取得した第１の識別情報を前記管理装置に出力する識別情報出力手段
として機能させることを特徴とするプログラム。